(57)【要約】      （修正有）【課題】  照明装置の配光特性を均一にする。【解決手段】  光源６と、該光源からの光束を照射方向に向かわせるための光学部材８および反射部材７とを有する照明装置であって、照射光軸を含む面を境界面とする一方の領域を第１の領域(領域Ａ)とし、他方の領域を第２の領域(領域Ｂ)とするとき、光学部材は、入射面８ａと、第１の領域での照射光軸に直交する方向に対する傾きが第２の領域よりも大きく、かつ第１の領域での傾きが光軸中心部から中間部および周辺部にかけて漸次大きくなる射出面８ｃとを有し、反射部材は第１の反射面７ｂと第２の反射面７ｃとを有し、第１の反射面は射出面における第１の領域側の中間部に向けて反射し、第２の反射面は、第２の光束を射出面における第２の領域側の周辺部に向けて反射することを特徴とする照明装置。【選択図】  図４
2005352356.tif 000002
【特許請求の範囲】
【請求項１】
光源と、該光源からの光束を照射方向に向かわせるための光学部材および反射部材とを有する照明装置であって、
照射光軸を含む面を境界面とする一方の領域を第１の領域とし、他方の領域を第２の領域とするとき、
前記光学部材は、入射面と、前記第１の領域での前記照射光軸に直交する方向に対する傾きが前記第２の領域よりも大きく、かつ前記第１の領域での前記傾きが光軸中心部から中間部および周辺部にかけて漸次大きくなる射出面とを有し、
前記反射部材は、前記第１の領域において前記光源から前記入射面よりも周辺側に向かう第１の光束を前記射出面に向けて反射する第１の反射面と、前記第２の領域において前記光源から前記入射面よりも周辺側に向かう第２の光束を前記射出面に向けて反射する第２の反射面とを有し、
前記第１の反射面は、前記第１の光束を前記射出面における前記第１の領域側の前記周辺部に向けて反射せずに該射出面における前記第１の領域側の前記中間部に向けて反射し、
前記第２の反射面は、前記第２の光束を前記射出面における前記第２の領域側の前記周辺部に向けて反射することを特徴とする照明装置。
【請求項２】
前記第１の反射面のうち前記光源から最も離れた位置で反射して前記射出面から射出した第１の光線が前記照射光軸に対してなす角度と、前記第２の反射面のうち前記光源に最も近い位置で反射して前記射出面から射出した第２の光線が前記照射光軸に対してなす角度とが略等しいことを特徴とする請求項１に記載の照明装置。
【請求項３】
前記入射面は、少なくとも一部が正の屈折力を有することを特徴とする請求項１に記載の照明装置。
【請求項４】
照射光軸方向において、前記入射面における前記第１の領域側の周辺部が、照射光軸方向において前記第２の領域側の周辺部よりも光源側に位置しており、
前記照射光軸を含み前記境界面に直交する断面において、前記第２の反射面が前記第１の反射面よりも長く形成されていることを特徴とする請求項１又は２に記載の照明装置。
【請求項５】
請求項１から４のいずれか１つに記載の照明装置と、
該照明装置により照明された被写体を撮影する撮影系とを有することを特徴とする撮影装置。
【発明の詳細な説明】
【技術分野】
【０００１】
本発明は、光源から光を照射する照明装置及び照明装置を有する撮影装置に関する。
【背景技術】
【０００２】
従来のカメラ等の撮影装置に用いられている照明装置は、光源と、この光源から発せられた光束を前方（被写体側）に導く反射鏡やフレネルレンズ等の光学部品とで構成されている。
【０００３】
このような照明装置のうち、光源から様々な方向に射出した光束を、小型で効率よく必要照射画角内に集光させるようにした照明装置について、種々の提案がされている。
【０００４】
例えば、図６に示すように、光源手段から被写体側へ照射された光束のうち、照射光軸近傍に射出した光束に正の屈折力を与える正屈折部を有する入射面と、該入射面からの光束を射出させる射出面とを有する光学部材と、前記光源手段から照射光軸近傍より大きな角度に射出した光束を被写体側に反射する反射面を有し、該反射面は、前記光源手段から照射光軸近傍より大きな角度に射出した光束のうち、照射光軸に略垂直方向の成分を前記光学部材に入射し、射出させた後に照射光軸に交差させる方向の必要最大角度になるような射出成分に変換させ、また、該反射面の先端部で反射した成分を前記光学部材に入射し、射出させた後に照射光軸とほぼ平行な方向な射出成分に変換させるようにした照明装置は、照明装置の高さ及び奥行き方向を非常に小型化することが可能で、小型で効率のよい照明装置である。
【０００５】
また、近年、カメラ本体のデザインの多様化が進み、例えば外装部材を曲率が徐々に変化するような複雑な曲面で構成したカメラが増加してきている。このように、カメラ本体の外形形状が複雑な曲面で構成されるような場合、ストロボ光学系の最も照明範囲側（すなわち撮影範囲側）の面も、カメラ本体の形状に整合した段差のない曲面形状に形成するのが外観上好ましい。
【特許文献１】実開平２−１３８７３３号公報（第１項、第１図）
【特許文献２】特開平７−２７０８６７号公報（第８項、第５図）
【発明の開示】
【発明が解決しようとする課題】
【０００６】
しかしながら、従来の照明光学系を備えたカメラでは、カメラ本体をデザインする上での自由度に乏しいという不都合があった。
【０００７】
例えば、特許文献１には、フレネルレンズの被写体側（照明範囲側）の面を偏心させたストロボ光学系が開示されている。しかしながら、上記公報に開示のストロボ光学系では、フレネルレンズの回転中心軸が従来同様フレネル面に垂直であるため、撮影レンズの光軸とのパララックスを補正するのが限界で、カメラ本体のデザイン上の自由度を増やすには至っていない。
【０００８】
また、特許文献２には、フレネルレンズの照明範囲側の面が撮影レンズの光軸に対して斜設され、前記フレネルレンズの発光光源側の面は、それぞれシリンドリカル状の面を有する複数のフレネル要素からなるフレネル形状のシリンドリカル面に形成され、前記撮影レンズの光軸に対する前記フレネルレンズの照明範囲側の面の傾きに応じて、各フレネル要素のフレネル角度及びシリンドリカル面形状のうち少なくともいずれか一方が各フレネル要素間で変化し、前記フレネルレンズの照明範囲側の面の傾きに起因する光束の偏りを補正するものが開示されている。しかしながら、上記公報に開示のストロボ光学系では、フレネルレンズの形状のみで、反射鏡の形状については開示されていない。
【０００９】
また、図６に示したような照明装置において、図７に示すように、デザインによって射出面に曲率の大きいＲ等がついた場合、光源から射出された光束のうち反射鏡で反射された光束が、射出面より射出される際に光束の一部が射出面で全反射され、被写体側に射出されず光量不足を生じることがあった。また、射出された光束は、大きく発散された光束にはならず、ある方向に収斂されてしまうこともあり、配光ムラの原因ともなっていた。
【課題を解決するための手段】
【００１０】
上記課題を解決するために、本願発明の第１の構成は、光源と、光源からの光束を照射方向に向かわせるための光学部材および反射部材とを有する照明装置であって、照射光軸を含む面を境界面とする一方の領域を第１の領域とし、他方の領域を第２の領域とするとき、光学部材は、入射面と、第１の領域での照射光軸に直交する方向に対する傾きが第２の領域よりも大きく、かつ第１の領域での傾きが光軸中心部から中間部および周辺部にかけて漸次大きくなる射出面とを有し、反射部材は、第１の領域において光源から入射面よりも周辺側に向かう第１の光束を射出面に向けて反射する第１の反射面と、第２の領域において光源から入射面よりも周辺側に向かう第２の光束を射出面に向けて反射する第２の反射面とを有し、第１の反射面は、第１の光束を射出面における第１の領域側の周辺部に向けて反射せずに射出面における第１の領域側の中間部に向けて反射し、第２の反射面は、第２の光束を射出面における第２の領域側の周辺部に向けて反射することを特徴とする。
【発明の効果】
【００１１】
本願発明の第１の構成によれば、光源から照射された光束の配光特性を均一にすることができる。
【発明を実施するための最良の形態】
【００１２】
以下、図１〜図５を参照して、本発明の実施例について説明する。図１は本実施例のカメラ（撮影装置）の前方斜視図、図２は、本実施例のカメラに組み込まれた照明装置の前方斜視図、図３は図２の分解図、図４、５は照明装置を構成する各光学部材の配置図である。
【００１３】
これらの図において、１はカメラ本体であり、カメラ本体１の前面中央にはズーミングが可能なレンズ鏡筒２が設けられている。レンズ鏡筒２は、不図示のズーミングレンズ、フォーカシングレンズなどの撮影レンズを保持しており、光軸方向に進退することによってズーミング及びフォーカシングを可能としている。
【００１４】
３はレンズ鏡筒２の上方に設けられたファインダである。４はカメラ本体１の上面に設けられたレリーズボタンであり、第１ストローク操作で撮影準備動作(焦点検出動作及び測光動作)が開始され、第２ストローク操作で撮影動作(ＣＣＤセンサ，ＣＭＯＳセンサなどの撮像素子への露光及び撮像素子から出力された画像信号の記録媒体への記録)が開始される。
【００１５】
５は照明装置であり、カメラ前面の右側上方に形成された取付領域に組み込まれている。また、本発明の機械的構成要素は前述の構成に限定されるものではない。
【００１６】
次に、図２〜図５を用いて照明装置について説明する。
【００１７】
照明装置５は、光を発する円筒形状の閃光放電管（光源）６と、閃光放電管６から発せられた光束のうち前方以外の、例えば後方（被写体側と反対方向）に放射される光束を被写体側へ反射する反射鏡（反射部材）７と、閃光放電管６から直接入射した光束及び反射鏡７で反射して入射した光束を所定形状の光束として集光し、被写体側へ効率良く照射する照明光束導光用の光学部材（光学プリズム）８を有している。
【００１８】
図２及び図３において、光学部材８の被写体側の面には、左右方向（Ｘ方向）の配光特性を制御するプリズム面が形成されている。また、上下方向（Ｙ方向）の配光特性の制御は、前方に照射された光束のうち主に照射光軸(ＡＸＬ)近傍に射出された光束を入射させ屈折によって所望の配光特性に変換させる入出射面を持った光学部材と、主に照射光軸に対して上下方向に射出された光束を反射させる反射面とその反射光束を入射させる光学部材により所望の配光特性に変換させることによって行われている。
【００１９】
本実施例では、この上下方向（Ｙ方向）の配光特性を最適化させるために光学部材８及び反射鏡７の形状を適切に設定している。
【００２０】
図４に示すように、光学部材８は、光源から発せられた光束が入射する入射面８ａとこの入射面８ａを透過した光束が射出される射出面８ｃを有している。ここで、入射面８ａは、正の屈折率を有しており、照射光軸付近を含む第１の入射面８１と、この第１の入射面８１の後述する領域Ｂ側の端部から略照射光軸直交方向に延びる第２の入射面８２を有している。
【００２１】
第１の入射面８１には、非球面形状のシリンドリカルレンズ面が形成されており、光源中心から射出した光束のうち照射光軸に対してなす角度が比較的小さい直接光を、屈折できるようにしている。
【００２２】
第２の入射面８２には、光源中心から射出した光束のうち主として反射鏡７の第２の反射面７ｂ’で反射された光束が入射する。
【００２３】
射出面８ｃはカメラ本体１の外装形状に沿った曲率を持ったＲ面に形成されている。ここで、照射光軸を含む面(境界面)より上側の領域を領域Ａ(第１の領域)、下側の領域を領域Ｂ(第２の領域)としたときに、照射光軸に直交する垂線Ｎに対する射出面８ｃの傾きは、領域Ｂよりも領域Ａのほうが大きくなるように設定されている。
【００２４】
さらに、図４(ｂ)に示すように、射出面８ｃを、照射光軸を含む中間部、領域Ａ側に配置される周辺部Ａ及び領域Ｂ側に配置される周辺部Ｂによって領域分けしたとき、射出面８ｃの形状は、垂線Ｎに対する傾きが照射光軸から中間部及び周辺部Ａ，Ｂにかけて漸次大きくなるように設定されている。射出面８ｃのうち、周辺部Ａは、周辺部Ｂよりも照射光軸側に配置されている。
【００２５】
光学部材８の材料としては、アクリル樹脂等の透過率の高い光学用樹脂材料またはガラス材料が用いられる。
【００２６】
反射鏡７は内側の面が高反射率面で形成された光輝アルミ等の金属材料または内側の面に高反射率の金属蒸着面が形成された樹脂材料等で構成することができる。
【００２７】
上記構成において、カメラ本体１は、例えば「ストロボオートモード」にカメラがセットされている場合には、レリーズボタン４の第２ストローク操作に基づき、不図示の測光装置で測定された外光の明るさ及び装填された撮像素子の感度によって、照明装置５を発光させるか否かを不図示の中央演算処理回路が判断する。
【００２８】
そして、中央演算処理回路が現在の撮影状況下において「照明装置を発光させる」と判定した場合には、中央演算処理回路から発光信号が出力され、反射鏡７に取り付けられた不図示のトリガーリード線を介して閃光放電管６を発光させる。
【００２９】
発光された光束のうち、被写体側と反対方向に射出された光束は反射鏡７を介して、また、被写体側に射出した光束は直接、光学部材８に入射し、この光学部材８を介して所定の配光特性に変換された後、被写体側に照射される。
【００３０】
照明装置の光学特性を決める構成について、図４、５を用いて更に詳しく説明する。ここで、図４（ｂ）には、光源中心から射出した光束が反射鏡７及び光学部材８の各面からどのような光路を通るかを示した光線トレース図を示している。また、図５（ａ）は光源中心から射出された光束のうち直接光学部材８に入射した光線トレース図を示している。さらに、図５（ｂ）には光源中心から射出された光束のうち反射鏡７で反射された後に光学部材８に入射する光線トレース図を示している。
【００３１】
図４、５において、閃光放電管６は、効率を向上させるため、内径一杯に発光させる場合が多く、放電管の内径一杯の発光点からほぼ均一に発光していると考えてよい。しかし、説明を容易にするため、光源中心から射出された光束を代表光束と考え、図中では光源中心から射出した光束のみを示している。実際の配光特性としては、図に示したような代表光束に加え、放電管の周辺部から射出した光束によって配光特性は全体として若干広がる方向に変化するが、配光特性の傾向としてはほとんど一致するため、以下この代表光束に従って説明する。
【００３２】
まず、図４（ａ）に示すように、閃光放電管６は照明装置５の開口高さの中心を通る中心線Ｍに対して、上側（光学部材の射出面のＲ形状の勾配が大きい側）に偏心した位置に配置されている。これは射出面８ｃでの全反射の影響を軽減するため、射出面８ｃの勾配が少ないところを通過する光束を増やすためである。
【００３３】
次に、反射鏡７のうち閃光放電管６の後側を覆う部分は、閃光放電管６とほぼ同心形状の半円筒形状（以下、半円筒部７ａという）に構成されている。これは、反射鏡７での反射光を、光源の中心部付近に戻すのに有効な形状であり、閃光放電管６のガラス部の屈折による影響を受けにくくする効果がある。上述の構成によれば、反射鏡７の後方からの反射光を光源からの直接光とほぼ等価な射出光と考えることができるため、照明光学系の全体形状を小型化することもできる。
【００３４】
また、半円筒部７ａは光源中心を中心に紙面上で時計回り方向に回転して配置されている。これにより、紙面上部前側に射出する光束が少なくなり、後述するように反射鏡７の反射面を短くすることができる。
【００３５】
反射鏡７の半円筒部７ａの上側及び下側の端部からはそれぞれ、第１及び第２の反射面７ｂ、７ｂ’が延出しており、第１の反射面７ｂは、第２の反射面７ｂ’よりも寸法が小さく設定されている。
【００３６】
第１の反射面７ｂは、領域Ａにおいて光源から入射面８ａよりも周辺側に向かう光束Ａ(第１の光束)を射出面８ｃの周辺部Ａに反射せずに、中間部に向けて反射し、第２の反射面７ｂ’は、領域Ｂにおいて光源から第２の入射面８２よりも周辺側に向かう光束Ｂ(第２の光束)を射出面８ｃの周辺部Ｂに向けて反射するように構成されている。
【００３７】
このように、第１の反射面７ｂで反射された光束Ａは、射出面８ｃのうち垂線Ｎに対する傾きが大きい周辺部Ａからは射出しないため、射出面８ｃで全反射して被写体側に射出しない光束を減らすことができる。これは、光束Ａが周辺部Ａに向かわないように、第１の反射面７ｂの寸法を小さく設定しているためである。
【００３８】
また、第２の反射面７ｂ’は、下側に発光された光束を反射させるために光学部材８付近まで延びている。
【００３９】
第２の反射面７ｂ’で反射された光束Ｂは、後述するように射出面８ｃのうち垂線Ｎに対する傾きが最も小さい周辺部Ｂに反射されるため、全反射することなく被写体側に射出される。
【００４０】
ここで、光学部材８の射出面８ｃはカメラ本体１の外装形状に沿った曲率を持つＲ面となっており、入射面８ａ及び反射鏡７により、閃光放電管６から発せられた光束は、被写体側に均一な配光となって照射される。
【００４１】
以下、本実施例の反射鏡７と光学部材８の形状について更に具体的に説明する。
【００４２】
まず、光学部材８の材料としては、成形性の面、コストの面からアクリル樹脂等の光学樹脂材料を用いることが最適である。しかし、この種の照明装置５においては、光源から光の照射と同時に多量の熱が発生するため、この熱の影響を、一回の照射によって発生する熱エネルギと最短発光周期とを考慮して、光学材料の選定及び放熱空間の設計を行う必要がある。
【００４３】
このとき、実際に最も熱の影響を受けやすいのは、光源から最も近く位置する光学部材８の第１の入射面８１であり、光源とこの第１の入射面８１との最少距離を最初に設定する必要がある。ここで、第１の入射面８１と光源との最少距離ｄを設定する。第１の入射面８１と光源との距離が大きすぎると、照明光学系全体が大型化するので、閃光放電管６の直径をφとすると、最少距離をｄは、
φ／１０≦ｄ≦φ／２                ……（１）
の範囲にあることが望ましい。
【００４４】
この範囲内に設定することにより、光源から発せられる熱によって第１の入射面８１に不具合が発生するのを防止することができる。
【００４５】
次に、第１の入射面８１の入射面形状を設定する。本実施例では、最小形状で必要照射範囲を均一な配光とするため、光源の中心から発せられた光束の射出角度と光学部材８の射出面８ｃからの射出角度との間に一定の相関関係を持たせるように第１の入射面８１の形状を設定している。
【００４６】
図５（ａ）に示すように、光源中心から発せられた光束は、光学部材８の第１の入射面８１及び射出面８ｃ（カメラ本体１の外装形状に沿った曲率を持つＲ面）により、被写体側に均一な配光となるように変換される。このとき、射出された光束が、照射光軸に対して上下方向に必要照射角となるように設定する。
【００４７】
また、照明光学系は、図５（ｂ）に示すように、反射鏡７の第１の反射面７ｂで反射された光束Ａのうち、第１の反射面７ｂと半円筒部７ａとの境界部分で反射された光束が最大の照射角を持つように設定してある。
【００４８】
さらにまた、反射鏡７の第２の反射面７ｂ’で反射された光束Ｂは、照射光軸に対して上下に広がる光束に変換される。このとき、第２の反射面７ｂ’の先端部(第２の反射面７ｂ’のうち光源から遠い側の端部)で反射された光束が、紙面上側に最大角となるように設計されている。
【００４９】
ここで、図５(ｂ)に示すように、第１の反射面７ｂの先端部(光源から遠い側の端部)で反射され、射出面８ｃから射出された光束と照射光軸とのなす角度をθ１、第２の反射面７ｂ’のうち光源に最も近い位置で反射され、射出面８ｃより射出された光束と照射光軸とのなす角度をθ２としたときに、θ１とθ２は略等しい角度になるように設定されている。よって、光源中心から発せられた光束のうち反射鏡７の第１及び第２の反射面７ｂ、７ｂ’で反射された光束は、連続的となり被写体側に均一な配光となって照射される。
【００５０】
以上説明したように、照射光軸付近に射出された光束と、照射光軸に対して上下方向に射出された光束(光束Ａ，Ｂ)とが光学部材８及び反射鏡７により反射などされた結果、配光分布を均一にすることができる。
【００５１】
したがって、カメラの照明装置５としては、特殊な配光分布を必要されるとき以外は、以下の領域内に各値が存在することが望ましい。
【００５２】
第１の入射面８１で屈折した光束の最大角度成分をαｍａｘ、反射面７ｂ、７ｂ’で反射され、第１の入射面８１で屈折した光束による最大射出角度成分をβｍａｘとしたとき、
０．８≦｜βｍａｘ／αｍａｘ｜≦１．２    ……（２）
とする。
【００５３】
これにより、図４、５に示すように、光源中心から射出し、照射光軸に対して上方に進む光束は、光源からの射出成分が射出角度に応じて均等に割り振られ、照射光軸に近い角度で射出した成分の分布とは異なる密度分布で、均一に光学部材８の射出面８ｃから射出していることがわかる。
【００５４】
一方、図示していないが、閃光放電管６の照射光軸の後方に進んだ光束の光路について説明する。照射光軸後方には半円筒部７ａが配置されており、閃光放電管６及び半円筒部７ａは、同心円状に形成されているため、光源中心から後方に射出した光束はすべて閃光放電管６のガラス管による屈折の影響を受けずに再度光源中心に戻って来ることになる。したがって、光源中心に戻って来た後の光線の振る舞いについては、図４、５に示した光線トレースとほぼ同等の特性を有する。
【００５５】
このように、本実施例では、照射光軸付近に射出された光束と照射光軸に対して上下方向に射出された光束とが、光学部材８及び反射鏡７により変換された結果、その配光分布が、ほぼ一致するように面形状を設定しているため、均一な配光分布に変換することができる。その結果、小型で必要照射範囲外への光照射による光量損失の少ない、極めて効率の良い照明光学系を提供することができる。
【００５６】
実際の配光特性を考えた場合、光源の有効発光部である内径の大きさは無視できるほどには小さくない場合が多く、この影響が全体の配光特性に与える影響は大きく、この光源が有限の大きさを持つことによって配光に一定の広がりを生じるため、この要因をある程度加味して形状設定を行う必要がある。
【００５７】
また、図４、５に示すように、実際の製品を想定して、光学部材８には、光学プリズムの全反射面の延長上に全周にわたって細いリブ８ｄ、８ｄ′を一体的に形成している。
【００５８】
これは、不図示の外装部材と合わせるために設けられており、光学部材８と外装部材の隙間から不要な内部部品が見えるのを防止すると共に以下の目的で付加したものである。
【００５９】
すなわち、金属でできた反射鏡７と外装部品として使用される金属カバーとの間、または、光学部材８と外装部材との隙間の延長上に配置された導伝性の部材との間で、トリガーリークが発生し発光ができなくなることを未然に防止するためである。
【００６０】
一般に、照明装置においては、高電圧トリガー信号を反射鏡７に直接与え、この反射鏡７に接触した閃光放電管６のネサコート部を介して発光を開始させているが、本実施例のような小型化した照明光学系では、この反射鏡７と、金属で成形された外装部材や製品外部に配置される導電性部材との距離が近いため、トリガーリーク現象を起こしやすかった。
【００６１】
上述のように光学部材の全反射面延長部にリブ８ｄ、８ｄ′を付加することで縁面距離をのばすことができ、トリガーリーク現象を未然に防止することができる。
【００６２】
またこれと同時に、外部からのゴミや水滴の侵入の防止、特に水滴は、内部の高圧部品との間での感電の危険性があるが、このような危険性も未然に防止することができる。
【００６３】
また、本実施例では、光学部材８の中央部に形成された第１の入射面８１を非球面形状のシリンドリカルレンズ面としたが、このシリンドリカルレンズ面は必ずしも非球面形状に限定されるわけではなく、円筒面で形成してもよい。また、放電管６の長手方向の集光性を考慮して、トーリックレンズ面としてもよい。
【００６４】
また、例えば、上記形状を近似した単一もしくは複数の平面または円筒面、さらには楕円等の２次曲面を用いても、上記形状で得られる配光特性とほぼ同等の効果が得られる形状が存在する。
【００６５】
このような近似形状で光学部材８及び反射鏡７を形成することによって、実際加工されたものが設計値通りできているかの測定が、面形状を非球面とする場合に比べて極めて容易にできる、という利点がある。
【図面の簡単な説明】
【００６６】
【図１】実施例のカメラの前方斜視図
【図２】カメラに組み込まれた照明装置の斜視図
【図３】カメラ組み込まれた照明装置の分解斜視図
【図４】照明装置のＹＺ断面図
【図５】照明装置のＹＺ断面図
【図６】従来の照明装置のＹＺ断面図
【図７】従来の照明装置のＹＺ断面図
【符号の説明】
【００６７】
１…カメラ本体、２…レンズ鏡筒、３…ファインダ、４…レリーズボタン、
５…照明装置、６…閃光放電管、７…反射鏡、８…光学部材、
９…閃光放電管、１０…反射鏡
【図１】
2005352356.tif 000003
【図２】
2005352356.tif 000004
【図３】
2005352356.tif 000005
【図４】
2005352356.tif 000006
【図５】
2005352356.tif 000007
【図６】
2005352356.tif 000008
【図７】
2005352356.tif 000009